(57)【要約】【課題】  小物品を収納した偏平袋内の脱気を簡単な構造によって確実且つ能率よく行うことができると共に脱気後に偏平袋の口部を正確に閉止して綺麗にシールすることができる袋の口部シール機における袋内の脱気装置を提供する。【解決手段】  角部を突起部4aに形成してなる矩形状の摺擦部材４とこの摺擦部材の隣接する突起部4aから一部を突出させている制動部材13とを偏平袋Ａの袋口部載置ベルト８の上方に配設とし、上記摺擦部材４を偏平袋Ａの搬送速度よりも速い周速度でもって回転させることにより、突起部4aで偏平袋Ａの表シート片a1の一部を摺擦して盛り上がり通気路Ｂを形成し、この状態にして袋内を吸気ノズル５によって脱気し、次いで、制動部材13によって表シート片a1の移動を抑止して上記記盛り上がり通気路Ｂを解消し、この盛り上がり通気路Ｂの形成と解消とを繰り返し行ったのち、口部をシールするように構成している。【選択図】    図６
2013141991.tif 000002
【特許請求の範囲】
【請求項１】
物品を収納した偏平袋を搬送する搬送コンベアに沿って偏平袋内の脱気装置とシール装置とを順次、配設し、脱気装置によって脱気された偏平袋の口端部を挟持ベルトによって挟持しながら上記シール装置によりシールするように構成したシール機において、上記脱気装置は、搬送コンベアに載置した偏平袋の表シート片における口部表面の一部に搬送コンベアの搬送速度よりも早い速度でもって搬送方向に間欠的に摺接することにより該表シート片の一部を上方に向かって畝状に湾曲変形させて偏平袋の口端から袋内に通じる盛り上がり通気路を形成する摺擦部材と、この摺擦部材による盛り上がり通気路の形成位置においてその吸気口を盛り上がり通気路の開口端に臨ませてこの通気路を通じて袋内を脱気する吸気ノズルとからなり、さらに、摺擦部材による盛り上がり通気路の形成に引き続いて偏平袋の口部における上記表シート片の一部に圧着して裏シート片に対して表シート片の移動を一時停止させることにより表シート片を搬送方向に対して逆方向に張引して上記盛り上がり通気路を解消する制動部材を設けていることを特徴とする袋の口部シール機における袋内の脱気装置。
【請求項２】
摺擦部材は外周面の数カ所に搬送コンベアによって搬送される偏平袋の表シートの口部表面に搬送コンベアの搬送速度よりも早い周速度でもって摺擦する突起部を設けてなる回転板からなり、この回転板における隣接する突起部間の外周面から偏平袋の口部における表シート片の表面に押接する制動部材を突出させてあり、さらに、回転板の下方に偏平袋の口部における裏シート片を受止して偏平袋の口部を上記回転板の突起部及び制動部材に弾性的に押し付ける支持部材を配設していることを特徴とする請求項１に記載の袋の口部シール機における袋内の脱気装置。
【請求項３】
摺擦部材は、角部を偏平袋の表シートの口部表面に摺擦する突起部に形成している多角形状の回転板からなり、この回転板の中心部を可変速モータの回転軸に固着していると共に、制動部材は、該可変速モータの回転軸にベアリングを介して支持されたＯリングからなり、このＯリングの外周一部に係合部材を押付けてＯリングを制動状態に保持していることを特徴とする請求項１又は請求項２に記載の袋の口部シール機における袋内の脱気装置。
【請求項４】
摺擦部材は、角部を偏平袋の表シートの口部側表面に摺擦する突起部に形成している多角形状の回転板からなり、この回転板の中心部を可変速モータの回転軸に固着していると共に、制動部材は固定板の下端に弾性片を取付けてなり、この弾性片を上記回転板における突起部の外周端面に対して内方に没入させ、且つ、隣接する突起部間の辺に対して外方に突出させた状態に保持していることを特徴とする請求項１又は請求項２記載の袋の口部シール機における袋内の脱気装置。
【請求項５】
下端部に摩擦部材を取付けている回動板を搬送コンベアの搬送方向及び搬送方向とは逆方向に往復回動自在に枢着して、回動板の往動時には上記摩擦部材を搬送コンベアによって搬送される偏平袋の表シートの口部表面に搬送コンベアの搬送速度よりも早い周速度でもって摺擦させることにより表シート片の一部を畝状に湾曲変形させて偏平袋の口端から袋内に通じる盛り上がり通気路を形成する摺擦部材の機能を発揮させ、復動時には上記摩擦部材によって上記表シート片を搬送方向に対して逆方向に引き寄せて上記盛り上がり通気路を解消する制動部材の機能を発揮させるように構成していることを特徴とする請求項１又は請求項２に記載の袋の口部シール機における袋内の脱気装置。
【請求項６】
摺擦部材とシール装置との間に、摺擦部材によって偏平袋に形成される盛り上がり通気路のシール装置側に面した盛り上がり面を受止する傾斜面を有し、且つ、その傾斜面の下傾端がらシール装置側に向かって、盛り上がり通気路が解消した偏平袋の口部をシール装置側に案内する隙間を設けた通気路成形金具を配設していることを特徴とする請求項１乃至請求項５のうち、いずれか一項に記載の袋の口部シール機における袋内の脱気装置。
【請求項７】
偏平袋の口部を載せてシール装置側に送り込む袋口部載置ベルトを搬送コンベアに並設していると共に、この袋口部載置ベルトを中央にして上方側に摺擦部材と制動部材を配設し、下方側にこの袋口部載置ベルトを介して袋の口部を摺擦部材及び制動部材側に弾性的に押し付ける支持部材を上下動自在に配設してあり、さらに、シール装置に搬入される偏平袋を検知する検知片を配設してこの検知片の検知により上記支持部材を上方に押動させるように構成していることを特徴とする請求項１乃至請求項６のうち、いずれか一項に記載の袋の口部シール機における袋内の脱気装置。
【発明の詳細な説明】
【技術分野】
【０００１】
本発明は、内部に嗜好品や食料品等の物品を収納した偏平袋の口部を自動的にシールするシール機において、偏平袋をシール装置にまで搬送する手前で該袋内の脱気を行う袋内の脱気装置に関するものである。
【背景技術】
【０００２】
従来から、食料品や嗜好品等の物品を収納した偏平袋内を脱気したのち、該偏平袋の口部をシールする自動シール機としては、例えば、特許文献１や特許文献２に記載されているシール機が知られている。これらのシール機は、いずれも脱気装置とシール装置とを備え、コンベアによって搬送される物品を収納した偏平袋内の空気を脱気装置によって排除したのち、挟持ベルトによってこの偏平袋の口部を挟持しながらシール装置に送り込んで口部のシールを行っている。
【０００３】
このようなシール機において上記脱気装置の構造としては、前者においては、上下一対の挟持ベルトの挟持始端部を上下に離間させておき、この離間部に固定脱気ノズルを臨ませた状態に配設して物品を収納した偏平袋の口部開口端を該脱気ノズルの開口端に沿って移動させながら脱気ノズルからの吸気力によって袋内を脱気したのち、シール装置側に送り込むように構成している。
【０００４】
一方、後者においては、上下一対の挟持ベルトの上流側に脱気ノズルを下流側に向かって往復移動自在に、且つ、この往復移動方向に対して直角方向に進退自在に配設した構造を有している。そして、偏平袋の口部を脱気ノズルに対向させてその口部における上流側に向けている一側端部内に吸気ノズルを挿入した状態にして口部における下流側に向けている他側端部を上記挟持ベルトに挟持させると、挟持ベルトによって偏平袋が下流側に送られると共にこの偏平袋の一側端部内に挿入している吸気ノズルが該一側端部の内面に係止しながら偏平袋と一体的に移動し、シール装置に達する直前まで移動中に吸気ノズルによって袋内を脱気したのち、吸気ノズルを後退させて偏平袋から離脱させ、元の位置まで復動させて次の偏平袋の脱気に待機させるように構成している。
【先行技術文献】
【特許文献】
【０００５】
【特許文献１】特公昭６２−３８２２１号公報
【特許文献２】特開２００２−１９７２８号公報
【発明の概要】
【発明が解決しようとする課題】
【０００６】
しかしながら、前者の脱気装置においては、脱気ノズルの開口端に偏平袋の口部開口端を摺接させながら袋内の脱気を行うものであるから、偏平袋内に収納する物品が少数であったり小さかったりして物品を収納しているもかかわらず、偏平袋の口部が全面的に密閉していると、袋内を脱気することができない事態が生じることがあり、また、口部が開口していても、脱気ノズルの吸気力が袋内の中央部にまで作用する前に、袋の口部がその吸気力によって閉止して袋内の脱気を行うことができなくなる。特に、袋の口端から袋内に収納した物品までの距離が長いと、この脱気不能となる現象が生じ易くなるといった問題点がある
【０００７】
一方、後者の脱気装置によれば、吸気ノズルを袋内に挿入するので、上記のような脱気不能状態は生じないが、偏平袋の口部内に吸気ノズルを挿入させる作業を必要としてシール処理能率が低下するばかりでなく、吸気ノズルを挟持ベルトの搬送方向に往復移動させる機構やこの往復方向に対して直角方向に進退自在に移動させる機構を必要として構造が複雑化し、故障が生じ易くなる。さらに、脱気したのち、吸気ノズルを後退させて袋の口部から離脱させると、  該袋における吸気ノズルの抜き取り跡に吸気ノズルの断面形状に応じた膨らみが生じ、この膨らみが直ちに挟持ベルトの挟持力によって平たくなるように圧迫されて小さな皺が発生し、綺麗にシールを行うことができなくなる虞れがあるといった問題点があった。
【０００８】
本発明はこのような問題点に鑑みてなされたもので、その目的とするところは物品を収納した偏平袋内の脱気を簡単な構造によって確実且つ能率よく行えると共に脱気後は直ちに口部を積極的に正確に閉止して綺麗なシールを可能にし得る袋の口部シール機における袋内の脱気装置を提供するにある。
【課題を解決するための手段】
【０００９】
上記目的を達成するために、本発明の袋の口部シール機における袋内の脱気装置は請求項１に記載したように、物品を収納した偏平袋を搬送する搬送コンベアに沿って偏平袋内の脱気装置とシール装置とを順次、配設し、脱気装置によって脱気された偏平袋の口端部を挟持ベルトによって挟持しながら上記シール装置によりシールするように構成したシール機において、上記脱気装置は、搬送コンベアに載置した偏平袋の表シート片における口部表面の一部に搬送コンベアの搬送速度よりも早い速度でもって搬送方向に間欠的に摺接することにより該表シート片の一部を上方に向かって畝状に湾曲変形させて偏平袋の口端から袋内に通じる盛り上がり通気路を形成する摺擦部材と、この摺擦部材による盛り上がり通気路の形成位置においてその吸気口を盛り上がり通気路の開口端に臨ませてこの通気路を通じて袋内を脱気する吸気ノズルとからなり、さらに、摺擦部材による盛り上がり通気路の形成に引き続いて偏平袋の口部における上記表シート片の一部に圧着して裏シート片に対して表シート片の移動を一時停止させることにより表シート片を搬送方向に対して逆方向に張引して上記盛り上がり通気路を解消する制動部材を設けていることを特徴とする。
【００１０】
上記袋の口部シール機における袋内の脱気装置において、請求項２に係る発明は、上記摺擦部材は外周面の数カ所に搬送コンベアによって搬送される偏平袋の表シートの口部表面に搬送コンベアの搬送速度よりも早い周速度でもって摺擦する突起部を設けてなる回転板からなり、この回転板における隣接する突起部間の外周面から偏平袋の口部における表シート片の表面に押接する制動部材を突出させてあり、さらに、回転板の下方に偏平袋の口部における裏シート片を受止して偏平袋の口部を上記回転板の突起部及び制動部材に弾性的に押し付ける支持部材を配設していることを特徴とする。
【００１１】
また、請求項３に係る発明は、上記摺擦部材と制動部材との好ましい構造に関するもので、摺擦部材は、角部を偏平袋の表シートの口部表面に摺擦する突起部に形成している多角形状の回転板からなり、この回転板の中心部を可変速モータの回転軸に固着していると共に、制動部材は、該可変速モータの回転軸にベアリングを介して支持されたＯリングからなり、このＯリングの外周一部に係合部材を押付けてＯリングを制止状態に保持していることを特徴とする。
【００１２】
さらに、請求項４に係る発明は、摺擦部材は上記のように、角部を偏平袋の表シートの口部表面に摺擦する突起部に形成している多角形状の回転板からなり、この回転板の中心部を可変速モータの回転軸に固着している一方、制動部材は固定板の下端に弾性片を取付けてなり、この弾性片を上記回転板における突起部の外周端面に対して内方に没入させ、且つ、隣接する突起部間の辺に対して外方に突出させた状態に保持していることを特徴とする。
【００１３】
請求項５に係る発明は、摺擦部材と制動部材とを兼備した機構に関するもので、下端部に摩擦部材を取付けている回動板を搬送コンベアの搬送方向及び搬送方向とは逆方向に往復回動自在に枢着して、回動板の往動時には上記摩擦部材を搬送コンベアによって搬送される偏平袋の表シートの口部表面に搬送コンベアの搬送速度よりも早い周速度でもって摺擦させることにより表シート片の一部を畝状に湾曲変形させて偏平袋の口端から袋内に通じる盛り上がり通気路を形成する摺擦部材の機能を発揮させ、復動時には上記摩擦部材によって上記表シート片を搬送方向に対して逆方向に引き寄せて上記盛り上がり通気路を解消する制動部材の機能を発揮させるように構成していることを特徴とする。
【００１４】
上記請求項１乃至請求項５に記載の袋の口部シール機における袋内の脱気装置において、請求項６に係る発明は、摺擦部材とシール装置との間に、摺擦部材によって偏平袋に形成される盛り上がり通気路のシール装置側に面した盛り上がり面を受止する傾斜面を有し、且つ、その傾斜面の下傾端がらシール装置側に向かって、盛り上がり通気路が解消した偏平袋の口部をシール装置側に案内する隙間を設けた通気路成形金具を配設していることを特徴とする。
【００１５】
また、請求項７に係る発明は、偏平袋の口部を載せてシール装置側に送り込む袋口部載置ベルトを搬送コンベアに並設していると共に、この袋口部載置ベルトを中央にして上方側に摺擦部材と制動部材を配設し、下方側にこの袋口部載置ベルトを介して袋の口部を摺擦部材及び制動部材側に弾性的に押し付ける支持部材を上下動自在に配設してあり、さらに、シール装置に搬入される偏平袋を検知する検知片を配設してこの検知片の検知により上記支持部材を上方に押動させるように構成していることを特徴とする。
【発明の効果】
【００１６】
請求項１に係る発明によれば、物品を収納した偏平袋を搬送コンベアによってシール装置側に送り込む手前において、搬送速度によりも早い速度でもって搬送方向に作動する摺擦部材によって、偏平袋の表シート片における口部表面の一部を裏シート片に対して搬送方向に押し進めて畝状に湾曲変形させた盛り上がり通気路を簡単且つ確実に形成することができると共にこの盛り上がり通気路の形成位置に吸気ノズルを配設しているので、吸気ノズルの吸気口からの吸気力を盛り上がり通気路を通じて袋内に作用させて袋内の脱気を行えるものであり、この際、盛り上がり通気路は摺擦部材の摺擦力によって盛り上がり方向に付勢されているから、吸気ノズルの吸気力に抗してその盛り上がり形態を確実に保持して盛り上がり通気路は閉止することはなく、袋内の隅々まで円滑に脱気させることができる。
【００１７】
さらに、摺擦部材による盛り上がり通気路の形成に引き続いて制動部材により、偏平袋における上記表シート片の袋口部側表面の一部に圧着して偏平袋の裏シート片に対して表シート片の移動を一時停止させるように構成しているので、偏平袋の裏シート片を搬送コンベアによって連続的に搬送方向に移動させながらこの裏シート片に対して表シート片を制動部材によって制止させてこの表シート片によって形成している上記盛り上がり通気路の高さを徐々に低くしながら解消してその盛り上がり通気路を形成していた表シート片部分を裏シート片の対向面に密着させて口部を綺麗に密閉させることができ、従って、シール装置により精度よくシールすることができるものであり、その上、盛り上がり通気路がなくなるまで上記吸気ノズルの吸気力を袋内に作用させることができて効率よく脱気することができると共に、搬送コンベアの搬送に従って偏平袋に上記摺擦部材による盛り上がり通気路の形成と、制動部材による該盛り上がり通気路の解消とを数回、繰り返し行うことができて袋内の脱気を確実に行いながら、シール装置側に送り込むことができる。
【００１８】
また、請求項２に係る発明によれば、上記摺擦部材は外周面の数カ所に搬送コンベアによって搬送される偏平袋の表シートの口部表面に搬送コンベアの搬送速度よりも早い周速度でもって摺擦する突起部を設けてなる回転板からなり、この回転板における隣接する突起部間の外周面から偏平袋の表シート片における袋口部側表面に押接する制動部材を突出させていると共に、回転部材の下方に偏平袋の口部における裏シート片を受止して偏平袋の口部を上記回転板の突起部及び制動部材に弾性的に押し付ける支持部材を配設しているので、搬送コンベアによって搬送される偏平袋の口部を支持部材によって回転板の突起部及び制動部材に弾性的に押しつけながら、この回転板の突起部による上記盛り上がり通気路の形成と、隣接する突起部間から突設している制動部材による盛り上がり通気路の解消作用とを交互に円滑且つ確実に行わせることができ、袋内の脱気と脱気後における袋口部の密閉とを正確に行って口部を精度のよくシールすることができる。
【００１９】
さらに、上記摺擦部材としては請求項３に記載したように、角部を偏平袋の表シートの口部表面に摺擦する突起部に形成している多角形状の回転板からなり、この回転板の中心部を可変速モータの回転軸に固着していると共に、制動部材は、該可変速モータの回転軸にベアリングを介して支持されたＯリングからなり、このＯリングの外周一部に係合部材を押付けてＯリングを制動状態に保持しているので、可変速モータによって回転板を所定の周速度でもって回転させながら且つ回転板の下方に配設している支持部材を回転板に向かって弾圧させながら回転板の各角部を偏平袋の表シート片における口部上に該口部の幅方向に小間隔毎に摺擦させて上記盛り上がり通気路を間欠的に形成することができると共に角部による盛り上がり通気路の形成後にＯリングの制動力によって盛り上がり通気路を上流側に引き寄せて円滑に解消させることができ、袋内の脱気と脱気後における袋口部の密閉とを確実に行うことができる。
【００２０】
同様に、請求項４に係る発明によれば、上記摺擦部材は、角部を偏平袋の表シートの口部表面に摺擦する突起部に形成している多角形状の回転板からなり、この回転板の中心部を可変速モータの回転軸に固着している一方、制動部材は固定板の下端に弾性片を取付けてなり、この弾性片を上記回転板における突起部の外周端面に対して内方に没入させ、且つ、隣接する突起部間の辺に対して外方に突出させた状態に保持しているので、可変速モータによって回転板を所定の周速度でもって回転させながら且つ回転板の下方に配設している支持部材を回転板に向かって弾圧させながら回転板の各角部を偏平袋の表シート片における口部上に該口部の幅方向に小間隔毎に摺擦させて上記盛り上がり通気路を間欠的に形成することができると共に角部による盛り上がり通気路の形成後に固定板の下端に取付けている弾性片を盛り上がり通気路に連なる偏平袋の口部における表シート片部分に押し付けて盛り上がり通気路を解消することができ、袋内の脱気と脱気後における袋口部の密閉とを確実に行うことができる。
【００２１】
一方、請求項５に係る発明によれば、下端部に摩擦部材を取付けている回動板を搬送コンベアの搬送方向及び搬送方向とは逆方向に往復回動自在に枢着しているので、この回動板を搬送コンベアによる偏平袋の搬送方向に該搬送速度よりも早い速度でもって回動させた際には、その摩擦部材によって偏平袋の表シート片における口部表面の一部を裏シート片に対して搬送方向に押し進めて畝状に湾曲変形させた盛り上がり通気路を形成する摺擦部材としての機能を発揮させ、回動板を搬送方向とは逆方向に回動させた際には、その摩擦部材によって上記表シート片を搬送方向に対して逆方向に引き寄せて上記盛り上がり通気路を解消する制動部材としての機能を発揮させることができる。
【００２２】
また、請求項６に係る発明によれば、摺擦部材とシール装置との間に、摺擦部材によって偏平袋に形成される盛り上がり通気路のシール装置側に面した盛り上がり面を受止する傾斜面を有し、且つ、その傾斜面の下傾端がらシール装置側に向かって、盛り上がり通気路が解消した偏平袋の口部をシール装置側に案内する隙間を設けた通気路成形金具を配設しているので、摺擦部材を偏平袋の搬送方向に該搬送速度よりも速い速度でもって作動させて盛り上がり通気路を形成する際に、該盛り上がり通気路をシール装置側に移動させることなく、この成形金具の位置で該成形金具により所定高さの盛り上がり通気路を簡単且つ確実に形成することができると共に、盛り上がり通気路の開口端を常に吸気ノズルに正確に対向させて吸気ノズルによる脱気作用を円滑に行わせることができ、その上、盛り上がり通気路の形成に引き続いて制動部材によって該盛り上がり通気路を解消させながら成形金具の下面側に形成している隙間を通じて偏平袋の口部を偏平状に閉止させてシール装置側に送り出すことができる。
【００２３】
さらに、請求項７に係る発明によれば、搬送コンベアに偏平袋の口部を載せてシール装置側に送り込む袋口部載置ベルトを並設していると共に、この袋口部載置ベルトを中央にして上方側に上記摺擦部材と制動部材を配設し、下方側にこの袋口部載置ベルトを介して袋の口部を摺擦部材及び制動部材側に弾性的に押し付ける支持部材を上下動自在に配設してあり、さらに、シール装置に搬入される偏平袋を検知する検知片を配設してこの検知片の検知により上記支持部材を上方に押動させるように構成しているので、搬送コンベアによって搬送される偏平袋における下流側に向けている側端部が検知片の位置に達すると、摺擦部材の摺擦下端面よりも制動部材の下端面が僅かに上方に位置しているにもかかわらず、支持部材が上動してその上面を袋口部載置ベルトを介してこれらの摺擦部材と制動部材とに弾接させることができ、摺擦部材による上記盛り上がり通気路の形成と、制動部材による該盛り上がり通気路の解消作用とを円滑且つ確実に行わせることができる。
【図面の簡単な説明】
【００２４】
【図１】脱気装置を備えたシール機全体の簡略斜視図。
【図２】その簡略正面図。
【図３】偏平袋に盛り上がり通気路形成用摺擦部材と解消用制動部材とを備えた部分の正面図。
【図４】その部分の縦断側面図。
【図５】吸気ノズル部分と通気路成形金具部分との一部を断面した平面図。
【図６】盛り上がり通気路を形成している状態の一部を断面した正面図。
【図７】その簡略斜視図。
【図８】その要部の拡大縦断正面図。
【図９】盛り上がり通気路を解消している状態の一部を断面した正面図。
【図１０】その要部の拡大縦断正面図。
【図１１】制動部材の別な実施形態を示す一部を断面した正面図。
【図１２】摺擦部材と制動部材とを一体に形成している本発明の別な実施例を示す正面図。
【図１３】その縦断側面図。
【発明を実施するための形態】
【００２５】
次に本発明の具体的な実施の形態を図面について説明すると、図１〜図５において、機台１の前方に、該機台１の前面から小間隔を存した位置において機台１の前面に沿って一側端から他側端に向かって水平に走行するベルトコンベアからなる搬送コンベア２を配設していると共に、機台１の一側端部の前面に、上記搬送コンベア２によって搬送される物品を収納した偏平袋Ａの口部に、後述するように、その口端から袋内に通じる盛り上がり通気路Ｂを形成するための摺擦部材４と、この盛り上がり通気路Ｂを通じて袋内を脱気する吸気ノズル５とからなる脱気装置３を配設してあり、この脱気装置３から搬送コンベア２の搬送方向である下流側に向かって、機台１の前面にシール装置６と冷却装置７とを順次配設している。
【００２６】
さらに、搬送コンベア２に並行して上記シール装置６と冷却装置５の前面に沿って水平方向に走行する袋口部載置ベルト８を設けてあり、機台１の前面両側端部に回転自在に支持されている駆動プーリ31と従動プーリ32間に無端状に掛け渡されている。なお、この袋口部載置ベルト８の載置面は摩擦係数の大きい面に形成されている。この袋口部載置ベルト８に並行して該袋口部載置ベルト８の後方側における機台１の前面に上下一対のシール用挟持ベルト９、10を配設してあり、この上下一対のシール用挟持ベルト９、10の対向挟持面を平行に対向させた状態にして上記シール装置６の上下一対のシール用ヒータ6a、6b間から冷却装置７を通過させるように構成している。
【００２７】
機台１の前面両側端部には、これらの挟持ベルト９、10をそれぞれ無端状に掛け渡している駆動プール33、34と従動プーリ35、36とが回転自在に配設されてあり、下側挟持ベルト10の駆動プーリ34は上記袋口部載置ベルト８の駆動プーリ31と同軸に取付けられていると共に、袋口部載置ベルト８と挟持ベルト９、10とを駆動モータ（図示せず）によって搬送コンベア２と同一速度でもって走行させるように構成している。また、上下挟持ベルト９、10における機台１の一側端部側に配設した上記上下従動プーリ35、36は、搬送コンベア２の搬送面に対してそれぞれ上下方向に離間していて、偏平袋Ａの搬送始端側において上下挟持ベルト９、10の対向挟持面間に偏平袋Ａの口端部を受け入れ可能な空間部11を設けてあり、この空間部11の上下間の間隔を上記シール装置６の上下シール用ヒータ6a、6b間に向かって徐々に狭めてあり、これらの上下シール用ヒータ6a、6b間で偏平袋Ａの口端部を挟着するように構成している。
【００２８】
上記脱気装置３における摺擦部材４は、一定厚みを有する多角形状（図においては矩形状）の回転板からなり、この回転板の各角部を、搬送コンベア２によって搬送される偏平袋Ａの表シート片a1における口部側表面に搬送コンベア２による搬送速度よりも速い周速度でもって摺接させる凸円弧状端面を有する突起部4aに形成している。この摺擦部材４を２枚、図４に示すように前後に小間隔を存して重ね合わせ状に配設してその中心部を機台１に配設されている可変速モータ12の回転軸12a に固着していると共に、これらの摺擦部材４、４間に、この摺擦部材４を構成している矩形状回転板における隣接する上記突起部4a、4a間の外周面（辺）からその一部を突出させてその突出端を偏平袋Ａの口部表面に押し付けることにより一定の速度でもって搬送される偏平袋Ａにおける裏シート片a2に対して表シート片a1の移動を一次停止させる制動部材13を設けている。なお、摺擦部材４の回転中心から突起部4aの端面までの距離よりも摺擦部材４の回転中心から制動部材13の突出端までの距離を僅かに短くしている。
【００２９】
この制動部材13の形態としては特に限定されないが、図においては摩擦係数が大きい弾性部材からなるＯリングからなり、上記可変速モータ12の回転軸12a 上にベアリング14を介して取付けている円板15の外周面に装着されていると共に、このＯリングからなる制動部材13の上部外周面に係合部材16を押しつけて摺擦部材４の回転にもかかわらず、制動部材13を回転させないように保持している。具体的には、制動部材13の上方における機台１の前面にスプリング17によって下方に弾圧されている制動用ボール体からなる係合部材16を上下動可能に収納している固定金具18を取付けた構造としている。なお、係合部材16はボール体の形状に形成することなく下面を制動部材13の上周面に圧接させた凹円弧状制動面に形成している部材であってもよい。
【００３０】
制動部材13を前後から挟むようにして可変速モータ12の回転軸12a に固着している上記前後一対の矩形状回転板からなる摺擦部材４、４は、その下周面を上記袋口部載置ベルト８における袋搬送始端部側の上面に近接させた状態でこの袋口部載置ベルト８の上方側に配設されている一方、袋口部載置ベルト８を中央してこの袋口部載置ベルト８の下方側に摺擦部材４、４と対向させて上端面が袋口部載置ベルト８の幅よりも広幅で且つ平坦な水平面に形成されている平面矩形状の支持部材19をその上端面で袋口部載置ベルト８の下面を押圧可能に配設している。
【００３１】
具体的には、図３に示すように、この支持部材19は上記シール装置６における下側のシール用ヒータ6bの一側端面にその他側端面を近接させた状態にして、且つ、シール時にはその上端面がこの下側のシール用ヒータ6bの上端面に対して同一水平面上に直列状となるように配設されていると共にこの支持部材19の他側端部における下端部を機台１の機枠前面に上下回動自在に枢着20されていて、シールを行わない常態においては該支持部材19をその枢着部20を支点として下方に傾斜させ、この支持部材19上に接して走行する袋口部載置ベルト８を摺擦部材４の下端面に対して僅かに下方に離間させるように構成している。  
【００３２】
さらに、支持部材19内には下向きに開口している小孔21が穿設されていてこの小孔21にスプリング22と、このスプリング22によって下方に押圧されてその下端部を小孔21から下方に突設させているピン体23とを配設している一方、支持部材19の下方にエアシリンダ24をそのピストンロッド24a を上方に向けた状態にして配設してあり、このピストンロッド24a の先端面によって上記ピン体23を受止して、常態においては支持部材19を上記枢着部20を支点として他側端側から一側端側に向かって下方に傾斜させてあり、エアシリンダ24が作動した時にはピストンロッド24a の上動によりピン体23を介してスプリング22を圧縮させながら支持部材19を上方に回動させ、その上面に載せている上記袋口部載置ベルト８と摺擦部材４とによって偏平袋Ａの口部を挟圧するように構成している。
【００３３】
また、摺擦部材４と上記シール装置６との間に、後述するように、摺擦部材４によって偏平袋Ａの表シート片a1の一部を畝状に湾曲変形することによって口端から袋内に通じる盛り上がり通気路Ｂを形成する際に、この盛り上がり通気路Ｂにおけるシール装置６側に面した盛り上がり面を受止して盛り上がり通気路Ｂの形状を保持する傾斜面を有する通気路成形金具25を配設している。
【００３４】
この通気路成形金具25は、図３、図５に示すように、支持部材19の幅と同等ないしは僅かに広幅の長方形状の金属板片の長さ方向の一部を斜め上方に屈折させることによって上記傾斜面を有する傾斜片部25a を形成してなり、この傾斜片部25a を上記摺擦部材４の下流側に面した外周面下端部に近接させた状態にして対向させていると共に、傾斜片部25a
の下端から下流側に向かって延設している平坦な板部25b を水平状にしてその下面と上記袋口部載置ベルト８の上面との間に偏平袋Ａの口部を通過させる隙間を設けた状態にして機台１の前面に取付片26を介して固定している。
【００３５】
さらに、偏平袋Ａの口部表面に対する上記摺擦部材４による盛り上がり通気路Ｂの形成位置において、上記支持部材19の後方側に、上記通気路成形金具25における傾斜片部25a
と摺擦部材４の下端部との対向面間の空間部に前方に向けている吸気口5aを臨ませて、この空間部において形成される上記盛り上がり通気路Ｂの開口端を通じて袋内を脱気する上記吸気ノズル５を配設している。この吸気ノズル５は図５に示すように、横断面矩形状の管材からなり、その上端部における前半部を上記盛り上がり通気路Ｂの高さに略等しい縦幅でもって両側端面間を貫通するように切欠くことによって正面から見て横長長方形状の上記吸気口5aに形成してあり、上記上下一対の挟持ベルト９、10をこの吸気ノズル5aの一側開口部から他側開口部に互いにその対向面を離間させた状態にして且つシール装置６に向かって徐々にその対向面間の隙間を狭くさせながら貫通状態に配設させている。なお、この吸気ノズル５は排気ブロワ（図示せず）に吸気管路を通じて連通させている。
【００３６】
また、上記取付片26から前方に向かって支軸27を回動自在に突設していると共に、この支軸27の前端に検知片28の上端を固着して支軸27から垂下したこの検知片28をの下端部を袋口部載置ベルト８の前端側の端面前方から下方に突出させてあり、搬送コンベア２によって搬送されてくる偏平袋Ａの口部における下流側に面した側端部がこの検知片28に押当した際に、該検知片28を下流側に回動させてリミットスイッチ29を作動させることにより上記エアシリンダ24のピストンロッド24a を上動させるように構成している。
【００３７】
次に、このように構成した袋の口部シール機における袋内の脱気装置の作用を述べると、シール機作動スイッチ（図示せず）を押して搬送コンベア２と袋口部載置ベルト８、及び上下一対の挟持ベルト９、10とを同一搬送速度でもって機台１の一側端部側（上流側）から他側端部側（下流側）に向かって走行させると共に排気ブロワを作動させ、さらに可変速モータ12を始動させて摺擦部材４を一定の周速度でもって回転させる。この運転状態にして内部に嗜好品や食品等の小物品を収納している偏平袋Ａを、その口部を袋口部載置ベルト８上に載るようにして搬送コンベア２の搬送始端部上に載置する。
【００３８】
偏平袋Ａは周知のように、矩形状又は長方形状の表裏シート片a1、a2を重ね合わてその長辺側である両側端縁と一方の短辺側の対向端縁とを連設し、他方の短辺側の対向端縁間で開口部を形成してなるもので、この偏平袋Ａの表シート片a1を上方に向けた状態にして裏シート片a2を搬送コンベア２上に載置して搬送コンベア２により搬送する。
【００３９】
搬送コンベア２に載置した偏平袋Ａは、その口端部を上下挟持ベルト９、10の搬送始端部側において離間している対向挟持面間の空間部11内に挿入されるようにして口端部の開口を抑制されながら摺擦部材４の下方に達した時に、その口部における裏シート片a2の下面が支持部材19上を走行する袋口部載置ベルト８上に載せられながら搬送コンベア２及びこの袋口部載置ベルト８の搬送によって摺擦部材４の下方を通過する。この時、まず、偏平袋Ａの下流側に向けている他側端が摺擦部材４の下方を先行するようにして通過して通気路成形金具25における平坦な板部25b と袋口部載置ベルト８との間の隙間に進入しながらその他側端面を図６に示すように検知片28に当接させて該検知片29を回動させる。
【００４０】
この検知片28の回動によってリミットスイッチ29が作動し、エアシリンダ24が作動してそのピストンロッド24a を上動させることにより支持部材19をその上端面が水平状態となるように上方に回動させ、支持部材19上を走行する袋口部載置ベルト８を摺擦部材４側に近接させて袋口部載置ベルト８上の偏平袋Ａの口部表面を摺擦部材４側に押接させる。
【００４１】
そうすると、可変速モータ12によって摺擦部材４が搬送コンベア２の搬送速度よりも速い周速度でもってその下側周面が搬送方向に回転しているので、該摺擦部材４の一つの突起部4aが下向きとなると、その突起部4aの凸円弧状に湾曲している下端面と袋口部載置ベルト８とによって偏平袋Ａの口部の他側端部を挟圧すると同時に、この突起部4aの下端面が搬送方向に移動して該突起部4aの下端面によって押圧して偏平袋Ａの口部表面の他側端部を搬送方向に押し進める。
【００４２】
この時、偏平袋Ａの裏シート片a2と袋口部載置ベルト８との摩擦力よりも偏平袋Ａの表裏シール片a1、a2の対向面間の摩擦力が小さく、且つ、この表裏シール片a1、a2の対向面間の摩擦力よりも表シート片a1と突起部4aの下端面との摩擦力が大きいので、袋口部載置ベルト８上に密接している偏平袋Ａの裏シート片a2が搬送コンベア２の搬送速度でもって袋口部載置ベルト８と一体的に下流側に搬送される一方、突起部4aの下端面によって押圧されている該偏平袋Ａの表シート片a1における口部側の一側端部が、図６〜図８に示すように、裏シート片a2上を摺動しながら該裏シート片a2よりも速い速度でもって搬送方向に押し進められ、両者の速度の差だけ表シート片a1の他側端部が摺擦部材４の回転に従って下流側に多く押し出されて該他側端部が裏シート片a2に対して上方に畝状に湾曲変形し、偏平袋Ａの他側端部に口端から偏平袋Ａの長さ方向に長い盛り上がり通気路Ｂが形成される。
【００４３】
さらに、この盛り上がり通気路Ｂの形成位置に、摺擦部材４の下周部に対向させて上記通気路成形金具25を配設しているので、上述したように、摺擦部材４の突起部4aによって偏平袋Ａの表シート片a1を裏シート片a2よりも多く下流側に押出しながら盛り上がり通気路Ｂを形成する際に、この盛り上がり通気路Ｂにおける下流側に面した盛り上がり面が通気路成形金具25の傾斜片部25a によって受止されてそれ以上下流側に移動するのを抑止されながらこの傾斜片部25a の傾斜面を伝うようにして上方に盛り上がり5aを臨ませている吸気ノズル５による吸気力が盛り上がり通気路Ｂの開口端を通じて偏平袋Ａ内に作用して袋内の脱気を行う。
【００４４】
この際、吸気ノズル５の吸気力によって盛り上がり通気路Ｂ内に負圧が発生して盛り上がり通気路Ｂを閉止させようとするが、上述したように、摺擦部材４の突起部4aの摺擦力によって盛り上がり通気路Ｂを積極的に盛り上げる方向付勢されているので、この付勢力が上記負圧に打ち勝って盛り上がり通気路Ｂが閉止することなく、この盛り上がり通気路Ｂを通じての袋内の脱気が確実に行われる。
【００４５】
摺擦部材４の突起部4aによる上記盛り上がり通気路Ｂの形成は、摺擦部材４の回転によって該突起部4aが偏平袋Ａの口部表面に摺接している間であり、摺擦部材４の回転によって該突起部4aが下流側に上方に移動すると盛り上がり通気路Ｂの形成が解かれると同時にこの突起部4aと次の突起部4aとの間の摺擦部材４の辺から突出しているＯリングからなる制動部材13が図９、図10に示すように、上記盛り上がり通気路Ｂから上流側の偏平袋Ａの口部における他側部表面に圧接し、この制動部材13と支持部材19とによって袋口部載置ベルト８上の偏平袋Ａの口部における他側部を弾性的に挟圧した状態を保持しながら搬送コンベア２によって偏平袋Ａが連続的に搬送される。
【００４６】
この際、摺擦部材４の回転にもかかわらず、制動部材13は係合部材19によって固定されていて回転することなく偏平袋Ａの口部表面に圧接するので、偏平袋Ａの裏シート片a2が搬送コンベア２及び袋口部載置ベルト８と共に下流側に移動する一方、表シート片a1が下流側に移動することなく制動部材13の制動力によって引き止められ、従って、裏シート片a2の移動に従って上記盛り上がり通気路Ｂがその高さを徐々に低くしながら遂にはその下面を裏シート片a2上に重ね合わせて密閉した偏平口部となり、その直後に摺擦部材４の次の突起部4aが偏平袋Ａの口部表面における上記盛り上がり通気路Ｂから上流側に小間隔を存した中間部分に摺擦して上記同様にして次の盛り上がり通気路Ｂを形成し、この盛り上がり通気路Ｂの形成に引き続いて制動部材13による該盛り上がり通気路Ｂの解消を行う。  
【００４７】
このように、一つの偏平袋Ａがその口部を袋口部載置ベルト８に載せて支持部材19上を通過する間に、上記摺擦部材４の回転によって突起部4aによる盛り上がり通気路Ｂの形成と、摺擦部材４による盛り上がり通気路Ｂの解消とを交互に数回、繰り返して偏平袋Ａの口部に他側端から一側端に向かって幅方向に一定間隔毎に行うと共に、脱気ブロワーが常時作動していて、各盛り上がり通気路Ｂの形成開始から終了までの間、吸気ノズル５による吸気力が盛り上がり通気路Ｂを通じて袋内に作用し、脱気作用が繰り返し行われて袋内を円滑に且つ確実に脱気することができる。
【００４８】
脱気された偏平袋Ａの口部が通気路成形金具25と支持部材19との間の隙間を下流側に向かって通過すると、検知片29が元の垂下状態に復帰してリミットスイッチ29を遮断し、エアシリンダ24のピストンロッド24a を下動させて次の偏平袋Ａの脱気に待機する。一方、脱気された偏平袋Ａは、その口端部を上下一対のシール用挟持ベルト９、10によって挟持されながらシール装置６に送られて、上下シール用ヒータ6a、6bによってシールされたのち、冷却装置７によって冷却されて搬送コンベア２の搬送終端部から搬出される。なお、脱気ブロワーと可変速モータ12とは搬送コンベア２や袋口部載置ベルト８、上下挟持ベルト９、10、と共に常時作動している。
【００４９】
以上の実施例において、制動部材13としてＯリングを使用し、このＯリングを可変速モータ12の回転軸12a にベアリング14を介して回転可能に配設した円板15の外周面に装着し、このＯリングを係合部材16によって固定してその下周部のみを偏平袋Ａの口部表面に押しつけ、長期の使用によってその下周部が磨滅した場合にはＯリングに対する係合部材16の押圧固定力に抗して円板15を適宜角度回動させることにより、磨滅していない部分を下向きにして新たな制動部材として使用するように構成しているが、本発明はこれに限定されることなく、例えば、図11に示すように、回転板からなる上記摺擦部材４に前後に重ね合わせるようにして機台１の前面に縦長長方形状の固定板40を取付け、この固定板40の下端面にゴム片等からなる摩擦係数の大きい制動部材13A を固着し、摺擦部材４の回転中心からこの制動部材13A の下端面までの距離を摺擦部材４の中心から突起部4aの先端面までの距離よりも短く、且つ、辺までの距離よりも長くして突起部4aによる盛り上がり通気路Ｂの形成後に引き続いて摺擦部材４の辺から突出するこの制動部材13A の下端面によって盛り上がり通気路Ｂの解消を行わせるように構成してもよい。また、上記制動部材13A に代えて下周部が固定板40の下端面から突出するようにＯリングを固定板40の内面等に装着しておいてもよい。その他の構造については上記実施例と同様であるので、同一部分には同一符号を付して詳細な説明を省略する。
【００５０】
また、上記いずれの実施例においても、摺擦部材４と制動部材13とを別体に形成しているが、図12、図13に示すように一体に形成した構造としておいてもよい。具体的には、支持部材19の上方における機台１の前面に、下端に摩擦部材50を取付けている縦長長方形状の回動板51の上端部を偏平袋Ａの搬送方向とこの搬送方向とは逆方向とに往復回動自在に枢着して、支持部材19上を走行する袋口部載置ベルト８上の偏平袋Ａの口部表面にその摩擦部材50を摺擦可能に対向させ、この回動板51に設けた縦長孔に嵌合させている偏心円板を回転させることによりこの回動板51を往復回動させて、往動時に、上記摩擦部材50を搬送コンベア２によって搬送される偏平袋Ａの表シート片a1の口部表面に搬送コンベア２の搬送速度よりも早い周速度でもって摺擦させることにより表シート片a1の一部を畝状に湾曲変形させて偏平袋の口端から袋内に通じる盛り上がり通気路Ｂを形成し、復動時に、上記摩擦部材50によって上記表シート片a1を搬送方向に対して逆方向に引き寄せて上記盛り上がり通気路Ｂを解消するように構成している。その他の構造は上記実施例と同様である。なお、このような回動板51の往復回動機構として早戻り機構を採用してもよい。
【符号の説明】
【００５１】
１  機台
２  搬送コンベア
３  脱気装置
４  摺擦部材
５  吸気ノズル
６  シール装置
８  袋口部載置ベルト
９、10  挟持ベルト
12  可変速モータ
13  制動部材
19  支持部材
25  通気路成形金具
28  検知片
【図１】
2013141991.tif 000003
【図２】
2013141991.tif 000004
【図３】
2013141991.tif 000005
【図４】
2013141991.tif 000006
【図５】
2013141991.tif 000007
【図６】
2013141991.tif 000008
【図７】
2013141991.tif 000009
【図８】
2013141991.tif 000010
【図９】
2013141991.tif 000011
【図１０】
2013141991.tif 000012
【図１１】
2013141991.tif 000013
【図１２】
2013141991.tif 000014
【図１３】
2013141991.tif 000015